(57)【要約】  情報処理システム（２５０）は、生体情報を計測する複数のセンサ（９０）と、情報処理部（３０２）とを備える。情報処理部（３０２）は、複数のセンサ（９０）によって計測された複数の生体情報を記憶部（３０３）に記憶し、サービス事業者に提供する１つ以上の生体情報を記憶部（３０３）に記憶された複数の生体情報の中から規則に基づいて選択し、選択した１つ以上の生体情報をサービス事業者に提供し、上記規則を変更する。
2020189019.tif 000002
【特許請求の範囲】
【請求項１】
生体情報を計測する複数のセンサと、
情報処理部とを備え、
前記情報処理部は、
前記複数のセンサによって計測された複数の生体情報を記憶装置に記憶し、
サービス事業者に提供する１つ以上の生体情報を前記記憶装置に記憶された複数の生体情報の中から規則に基づいて選択し、
選択した１つ以上の生体情報を前記サービス事業者に提供し、
前記規則を変更する
情報処理システム。
【請求項２】
前記情報処理部は、機械学習により前記規則を変更する
請求項１に記載の情報処理システム。
【請求項３】
前記規則は、選択した１つ以上の生体情報の加工方法を含んでいる
請求項１または２に記載の情報処理システム。
【請求項４】
前記加工方法は、プライバシー保護の観点に基づいた方法である
請求項３に記載の情報処理システム。
【請求項５】
前記情報処理部は、前記サービス事業者からの、提供されることを望む生体情報に関する要求を取得し、取得した要求に基づいて前記規則を変更する
請求項１〜４のいずれか１項に記載の情報処理システム。
【請求項６】
さらに、前記サービス事業者から送信されたサービス情報を取得し、取得したサービス情報を前記センサの計測対象者に提供する情報提供装置を備える
請求項１〜５のいずれか１項に記載の情報処理システム。
【請求項７】
前記サービス情報は、
前記複数のサービス事業者の１つである医療機関の受診を勧める情報と、
前記複数のサービス事業者の１つである運動施設の利用を勧める情報と、
前記複数のサービス事業者の１つである食品提供者による摂取すべき食品を示す情報と、の少なくとも１つを含む
請求項６に記載の情報処理システム。
【請求項８】
前記情報提供装置は、便器、洗面台、並びに、シャワー及び浴槽の少なくとも一方を内部に有する水廻りユニットの内部に設けられた第１表示装置であり、
前記水廻りユニットには、前記計測対象者の生体情報を計測したセンサが取り付けられている
請求項６または７に記載の情報処理システム。
【請求項９】
前記水廻りユニットは、さらに、機器を有し、
前記情報処理部は、さらに、前記水廻りユニットに取り付けられたセンサが計測した生体情報に基づいて前記機器を制御する
請求項８に記載の情報処理システム。
【請求項１０】
前記機器は、照明装置、または、前記第１表示装置よりも解像度が粗い第２表示装置である
請求項９に記載の情報処理システム。
【請求項１１】
前記情報提供装置は、前記計測対象者の携帯端末である
請求項６または７に記載の情報処理システム。
【請求項１２】
前記生体情報は、体重、体脂肪、血圧、血糖値、トイレの使用回数、及び、身体能力の少なくとも１つである
請求項１〜１１のいずれか１項に記載の情報処理システム。
【請求項１３】
前記サービス事業者は、前記複数のセンサの設置位置を含む地域でサービス事業を行っている者、または、当該地域でサービス事業の開始を検討している者である
請求項１〜１２のいずれか１項に記載の情報処理システム。
【請求項１４】
前記地域は、集合住宅、病院、介護施設または行政区域である
請求項１３に記載の情報処理システム。
【請求項１５】
さらに、温度、湿度、紫外線量及びＰＭ２．５濃度の少なくとも１つを示す環境情報を計測する複数の環境センサを備え、
前記情報処理部は、
さらに、前記複数の環境センサによって計測された複数の環境情報を前記記憶装置に記憶し、
前記記憶装置に記憶された複数の環境情報から１つ以上の環境情報を、前記規則に基づいて選択し、
選択した１つ以上の環境情報を、前記サービス事業者に提供する
請求項１〜１４のいずれか１項に記載の情報処理システム。
【請求項１６】
前記情報処理部は、さらに、
前記センサによって計測された生体情報の提供先となる１以上のサービス事業者を複数のサービス事業者の中から規則に基づいて選択し、
前記生体情報を選択したサービス事業者に提供し、
前記規則を変更する
請求項１〜１５のいずれか１項に記載の情報処理システム。
【請求項１７】
複数の生体情報を計測し、
前記複数の生体情報を記憶装置に記憶し、
サービス事業者に提供する１つ以上の生体情報を前記記憶装置に記憶された複数の生体情報の中から規則に基づいて選択し、
選択した１つ以上の生体情報を、前記サービス事業者に提供し、
前記規則を変更する
情報処理方法。
【発明の詳細な説明】
【技術分野】
【０００１】
本発明は、情報処理システム、及び、情報処理方法に関する。
【背景技術】
【０００２】
ユーザの生体情報を取得し健康状態を分析する技術が知られている。特許文献１には、睡眠の質の改善を支援するために、睡眠状態を詳しく分析する睡眠表示サーバ、及び、その分析結果を表示するための睡眠表示端末が開示されている。
【先行技術文献】
【特許文献】
【０００３】
【特許文献１】特開２０１３−１６８０２６号公報
【発明の概要】
【発明が解決しようとする課題】
【０００４】
一般的に、生体情報の分析には限度があり、例えば、生体情報に基づいてユーザの病状を判断するためには医療機関などの専門機関の助けを借りる必要がある。このような場合に、生体情報を専門機関に提供する方法については検討の余地がある。【０００５】
本発明は、必要な生体情報を適応的に提供することができる情報処理システム、及び、情報処理方法を提供する。
【課題を解決するための手段】
【０００６】
本発明の一態様に係る情報処理システムは、生体情報を計測する複数のセンサと、情報処理部とを備え、前記情報処理部は、前記複数のセンサによって計測された複数の生体情報を記憶装置に記憶し、サービス事業者に提供する１つ以上の生体情報を前記記憶装置に記憶された複数の生体情報の中から規則に基づいて選択し、選択した１つ以上の生体情報を前記サービス事業者に提供し、前記規則を変更する。【０００７】
本発明の一態様に係る情報処理方法は、複数の生体情報を計測し、前記複数の生体情報を記憶装置に記憶し、サービス事業者に提供する１つ以上の生体情報を前記記憶装置に記憶された複数の生体情報の中から規則に基づいて選択し、選択した１つ以上の生体情報を、前記サービス事業者に提供し、前記規則を変更する。
【発明の効果】
【０００８】
本発明の一態様に係る情報処理システム、及び、情報処理方法は、必要な生体情報を適応的に提供することができる。
【図面の簡単な説明】
【０００９】
【図１】図１は、実施の形態１に係る水廻りユニットの内部構造を示す第１の図である。
【図２】図２は、実施の形態１に係る水廻りユニットの内部構造を示す第２の図である。
【図３】図３は、実施の形態１に係る水廻りユニットの内部の上面図である。
【図４】図４は、実施の形態１に係る水廻りユニットの内部の側面図である。
【図５】図５は、実施の形態１に係る水廻りユニットの機能構成を示すブロック図である。
【図６】図６は、構造パネルを用いた提示制御のフローチャートである。
【図７】図７は、ユーザが健康であると判定された場合の構造パネルの発光態様を示す図である。
【図８】図８は、ユーザが健康でないと判定された場合の構造パネルの発光態様を示す図である。
【図９】図９は、ミラー装置を用いた提示制御のフローチャートである。
【図１０】図１０は、第一表示画面の一例を示す図である。
【図１１】図１１は、第二表示画面の一例を示す図である。
【図１２】図１２は、医療機関の一覧画面の一例を示す図である。
【図１３】図１３は、第二表示画面の別の一例を示す図である。
【図１４】図１４は、第二表示画面のさらに別の一例を示す図である。
【図１５】図１５は、実施の形態２に係る情報処理システムの機能構成を示すブロック図である。
【図１６】図１６は、実施の形態２に係る情報処理システムの動作例１のフローチャートである。
【図１７】図１７は、通信部によって取得される生体情報の一例を示す図である。
【図１８】図１８は、ユーザ情報の一例を示す図である。
【図１９】図１９は、生体情報を提供する際の規則を示す情報の一例を示す図である。
【図２０】図２０は、変更後の規則を示す情報の一例を示す図である。
【図２１】図２１は、実施の形態２に係る情報処理システムの動作例２のフローチャートである。
【図２２】図２２は、実施の形態２に係る情報処理システムの動作例３のフローチャートである。
【図２３】図２３は、実施の形態２に係る情報処理システムの動作例４のフローチャートである。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［全体構成］
以下、実施の形態１に係る水廻りユニットの全体構成について説明する。図１及び図２は、水廻りユニットの内部構造を示す図である。図３は、水廻りユニットの内部の上面図であり、図４は、水廻りユニットの内部の側面図である。
【００１３】
図１〜図４に示される水回りユニット１０は、戸建住宅、集合住宅、ホテル、養護施設などの建物（建築物）の一部を構成するものであり、例えば、建築現場以外で予め組み立てられてのユニット化された構造体である。水廻りユニット１０は、システムキッチン以外の水廻り設備をユニット化したものであり、壁部、天井部、及び、床部によって構成される本体部の内側空間に、便器２０と、洗面台３０と、ミラー装置４０と、壁面収納庫５０と、照明装置６０と、シャワールーム７０とを備える。図示されないが、水廻りユニット１０は、浴槽を備えてもよい。
【００１４】
便器２０は、ユーザが用を足すために使用する器具であり、メイン空間６１に設置される。つまり、メイン空間６１の一部はトイレとして使用される。便器２０は、例えば、洋式の便器であり、温水洗浄機能を有する便座２１を有する。なお、メイン空間６１のうち便器２０が設けられる空間は、トイレとして仕切られていてもよい。
【００１５】
また、便器が有する便座２１には、脈波センサ９１が埋め込まれている。脈波センサ９１は、例えば、光電脈波法を用いて便座２１に座ったユーザの脈波を計測する。光電脈波法は、赤外光または赤色光（反射型の場合は緑色光も使用可能）を体表面に照射し、体内を透過する光の変化量または体内で反射する光の変化量を、血流量の変化としてとらえる脈波の計測方法である。脈波センサ９１によって出力される脈波データを解析することで、心拍数（脈拍数）、または、血圧などを推定することができる。また、脈拍変動に基づいて居住者のストレスレベルを計測することもできる。
【００１６】
その他に、便座２１には、体脂肪センサ９３が埋め込まれている。体脂肪センサ９３は、例えば、ユーザの体内に微弱な電流を流してこれを計測する生体インピーダンス法を用いてユーザの体脂肪率を計測する。なお、体脂肪センサ２３は、例えば、洗面台３０の周囲の床、または、便器２０の周囲の床に設けられていてもよい。
【００１７】
洗面台３０は、居住者が洗面等に使用する水道設備である。洗面台３０が設けられている壁の洗面台３０よりも上方には、ミラー装置４０が設けられている。洗面台３０の下部には、洗面台３０の下方の床に向けて光を発する間接照明装置３１が設けられる。
【００１８】
ミラー装置４０は、通常は鏡として機能するが、表示部４４が起動すると画像の表示によりユーザへの提示を行う表示装置として機能する。また、ミラー装置４０は、ミラー装置４０の上方を照らす上側間接照明装置４１、及び、ミラー装置４０の下方を照らす下側間接照明装置４２を備え、これら上側間接照明４１および下側間接照明４２はミラー装置４０に内蔵されていてもよいし、ミラー装置４０の周辺に設置されていてもよい。上側間接照明装置４１及び下側間接照明装置４２の点灯及び消灯は、例えば、ミラー装置４０が備えるタッチパネル４５への操作に基づいて行われるが、ミラー装置４０が備えるマイク（図示せず）への音声入力に基づいて行われてもよい。
【００１９】
洗面台３０の前方の床には、体重センサ９２が埋め込まれている。体重センサ９２は、圧力センサなどによって実現される。
【００２０】
壁面収納庫５０は、ミラー装置４０と対向する位置に設けられる収納庫である。壁面収納庫５０の扉５１は、発光する構造パネル８０によって実現される。構造パネル８０の表面には、木目調の図柄層が取り付けられている。構造パネル８０は、通常は、木目調の図柄が設けられた扉５１として機能し、外部から構造パネル８０は視認できない。しかしながら、構造パネル８０が有する光源が発光すると、光源が発する光は、図柄層を通じて外部に取り出される。このような構造パネル８０は、ユーザに発光態様によりユーザへの提示を行う発光装置として機能する。
【００２１】
なお、図１及び図３では、壁面収納庫５０の１つの扉５１のみが構造パネル８０を含んでいるように記載されているが、壁面収納庫５０の全ての扉のそれぞれに構造パネル８０が含まれてもよい。また、構造パネル８０が壁面収納庫５０の扉５１に含まれることは必須ではなく、構造パネル８０は、壁部、天井部、及び、床部のいずれかに埋め込まれていてもよい。
【００２２】
照明装置６０は、便器及び洗面台３０の周辺の空間であるメイン空間６１を照明する。照明装置６０は、例えば、メイン空間６１の上方の天井に設置され、白色光を発する。照明装置６０は、例えば、ＬＥＤ（Ｌｉｇｈｔ  Ｅｍｉｔｔｉｎｇ  Ｄｉｏｄｅ）などの発光素子によって実現される。照明装置６０の点灯及び消灯は、例えば、水廻りユニット１０の壁に設けられた壁スイッチ（図示せず）への操作によって行われるが、ミラー装置４０が備えるタッチパネル４５への操作に基づいて行われてもよいし、後述の人感センサの検知結果に基づいて行われてもよい。また、照明装置６０は、調光機能及び調色機能の少なくとも一方を有していてもよい。
【００２３】
シャワールーム７０は、ユーザが水またはお湯を浴びるための空間であり、シャワー７１が設けられる。シャワールーム７０とメイン空間６１とは、透光性を有するスライドドア７２によって仕切られる。シャワールーム７０の壁の上方には、天井や壁に向けて光を発する間接照明装置７３が設けられる。また、シャワールーム７０の天井には、スピーカ（図示せず）が設置されている。タッチパネル４５あるいは音声入力によってユーザが例えばリラックスモードを選択したときはシャワー７１を浴びながらリラックス空間を演出する音楽または音がスピーカーから流れ、合わせて前述の上側間接照明装置４１または下側間接照明装置４２が空間演出を行う。
【００２４】
また、シャワールーム７０には、シャワー７１に代えて、または、シャワー７１に加えて、イス型シャワー７４が設けられてもよい。イス型シャワー７４は、例えば、背もたれのあるイス型であり、両側の腕置きの位置に、温水が吹き出す複数の穴を有する棒状水吹き出し部が設けられている。また、図示されないが、シャワールーム７０には、バスタブが設けられていてもよい。
【００２５】
［機能構成］
水廻りユニット１０は、ユーザの生体情報を計測するセンサ（例えば、脈波センサ９１、体重センサ９２、及び、体脂肪センサ９３など）を備え、これらのセンサによって計測された生体情報に基づいてユーザへの提示を行うことができる。このような提示を行う提示装置は、ミラー装置４０及び構造パネル８０である。以下、このような提示に関連する水廻りユニット１０の機能構成について説明する。図５は、水廻りユニット１０の機能構成を示すブロック図である。
【００２６】
図５に示されるように、水廻りユニット１０は、ミラー装置４０と、構造パネル８０と、センサ９０と、制御装置１００（図１〜図４で図示せず）と、人感センサ１１０（図１〜図４で図示せず）とを備える。また、図５には、サーバ装置２００も図示されている。
【００２７】
ミラー装置４０は、表示装置の一例であり、センサ９０によって計測された生体情報に基づいて画像の表示を行う表示装置である。ミラー装置４０は、ユーザの操作を受け付けるユーザインターフェース装置としても機能する。水廻りユニット１０においては、ミラー装置４０は、制御装置１００の指令にしたがって生体情報に基づく画像の表示を行うが、センサ９０から直接生体情報を取得して画像の表示を行ってもよい。ミラー装置４０は、上側間接照明装置４１、下側間接照明装置４２、カメラ４３、表示部４４、タッチパネル４５、ミラー制御部４６、及び、記憶部４７を備える。
【００２８】
カメラ４３は、ミラー装置４０の前方の映像を撮影する。撮影された映像が左右反転されて表示部４４に表示されることで、ミラー装置４０の鏡としての機能が実現される。このように、ミラー装置４０は、例えば、デジタルミラーである。
【００２９】
表示部４４は、画像を表示する。例えば、表示部４４は、ミラー制御部４６の制御に基づいて、カメラ４３によって撮影された画像を左右反転して表示することにより、ミラー装置４０をミラーとして機能させる。また、表示部４４は、表示部４４の少なくとも一部の領域（例えば、洗面台３０の直上の一部の領域）に生体情報に基づく情報を示す画像を表示する。表示部４４は、液晶パネル、または、有機ＥＬ（Ｅｌｅｃｔｒｏ  ｌｕｍｉｎｅｓｃｅｎｃｅ）パネルなどの表示パネルによって実現される。
【００３０】
タッチパネル４５は、操作受付部の一例であり、表示部４４に重ね合わされ、ユーザの操作を受け付ける。タッチパネル４５は、例えば、表示部４４による表示を開始するためのユーザの操作を受け付ける。なお、ミラー装置４０は、ミラー装置４０が備えるマイク（図示せず）によってユーザの音声入力を受け付け、ミラー制御部４６は、音声入力に基づいてユーザを識別することも可能である。
【００３１】
ミラー制御部４６は、上側間接照明装置４１及び下側間接照明装置４２の制御（照明制御）、並びに、表示部４４への画像の表示制御を行う。ミラー制御部４６は、例えば、マイクロコンピュータによって実現されるが、プロセッサまたは専用回路によって実現されてもよい。
【００３２】
記憶部４７は、ミラー制御部４６が照明制御及び表示制御を行うために実行するプログラムなどが記憶される記憶装置である。記憶部４７は、例えば、半導体メモリによって実現される。
【００３３】
構造パネル８０は、建物または建具などに使用されるパネル状の部材である。構造パネル８０は、発光装置の一例であり、センサ９０によって計測された生体情報に基づいて発光態様が変化する。水廻りユニット１０においては、構造パネル８０の発光態様は、制御装置１００の指令にしたがって変更されるが、構造パネル８０がセンサ９０から直接生体情報を取得することで変更されてもよい。構造パネル８０は、具体的には、光源８１、パネル制御部８２、及び、記憶部８３を備える。
【００３４】
光源８１は、例えば、基板上に複数のＬＥＤ素子が実装された構造を有する発光モジュールである。複数のＬＥＤ素子のそれぞれは、赤色ＬＥＤチップ、青色ＬＥＤチップ、及び、緑色ＬＥＤチップを含み、各ＬＥＤチップの輝度が独立して制御可能である。これにより、光源８１の発光色の変更が実現される。なお、光源８１は、ＬＥＤ以外の発光素子（例えば、有機ＥＬなど）によって実現されてもよい。
【００３５】
パネル制御部８２は、光源８１の発光制御を行う。パネル制御部８２は、具体的には、ユーザの生体情報（より詳細には、ユーザの生体情報に基づいて制御装置１００から送信される指令）に基づいてユーザの体調に変化があったと判定される場合に、光源８１の発光態様を変化させる。パネル制御部８２は、例えば、マイクロコンピュータによって実現されるが、プロセッサまたは専用回路によって実現されてもよい。
【００３６】
記憶部８３は、パネル制御部８２が発光制御を行うために実行するプログラムなどが記憶される記憶装置である。記憶部８３は、例えば、半導体メモリによって実現される。
【００３７】
センサ９０は、ユーザの生体情報を計測する。上述のように、センサ９０は、具体的には、脈波（及び脈波に基づいて算出される血圧及び心拍数）を生体情報として計測する脈波センサ９１、体重を生体情報として計測する体重センサ９２、または、体脂肪を生体情報として計測する体脂肪センサ９３などである。
【００３８】
センサ９０は、これらのセンサに限定されず、例えば、血圧センサ、心拍センサ、カメラ、体温センサ、脳波センサ、唾液センサ、発汗センサ、呼吸センサ、体動センサ、血流センサ、血糖値センサ、検尿センサなどであってもよい。このようなセンサ９０のそれぞれは、ユーザに接触する接触型のセンサであってもよいし、ユーザに接触しない非接触型のセンサであってもよい。また、センサ９０は、水廻りユニット１０内のどこかに設置されればよく、例えば、便器２０、洗面台３０、メイン空間６１、及び、シャワールーム７０のいずれかに設置される。生体情報は、例えば、血圧、心拍数、瞬目・視線、眼球運動、瞳孔変動、体温、脳波、唾液量、発汗量、呼吸量、体動量、血流量、血糖値、ｐＨ、尿酸値などである。生体情報には、ユーザの便器２０（トイレ）の使用回数、及び、ユーザの身体能力（筋力など）が含まれてもよい。
【００３９】
制御装置１００は、センサ９０から生体情報を取得し、取得した生体情報に基づいてミラー装置４０及び構造パネル８０を制御する。制御装置１００は、制御部１０１と、記憶部１０２と、通信部１０３とを備える。
【００４０】
制御部１０１は、センサ９０から生体情報を取得し、取得した生体情報に基づく指令を送信することにより、ミラー装置４０及び構造パネル８０の制御（つまり、情報の提示制御）を行う。制御部１０１は、例えば、マイクロコンピュータによって実現されるが、プロセッサまたは専用回路によって実現されてもよい。
【００４１】
記憶部１０２は、制御部１０１が提示制御を行うために実行するプログラム、及び、提示制御を行うための各種情報などが記憶される記憶装置である。記憶部１０２は、例えば、半導体メモリによって実現される。
【００４２】
通信部１０３は、制御装置１００が、インターネットなどの広域通信ネットワーク１２０を介してサーバ装置２００と通信を行うための通信回路である。通信部１０３が行う通信は、有線通信であってもよいし無線通信であってもよい。通信部１０３が行う通信の通信規格についても特に限定されない。
【００４３】
人感センサ１１０は、例えば、水廻りユニット１０の入り口付近に設置され、ユーザが水廻りユニット１０内に入ったことを検知するセンサである。人感センサ１１０は、ユーザの体から発せられる赤外線を検知する焦電センサであるが、超音波または可視光を用いたセンサであってもよい。人感センサ１１０の検知結果は、制御装置１００に送信される。なお、人感センサ１１０の設置位置は、特に限定されない。人感センサ１１０は、例えば、構造パネル８０の周辺に設置される。
【００４４】
［構造パネルを用いた提示制御］
次に、構造パネル８０を用いた提示制御について説明する。図６は、構造パネル８０を用いた提示制御のフローチャートである。
【００４５】
制御装置１００の制御部１０１は、センサ９０がユーザ生体情報を計測するごとに、計測された生体情報を取得して記憶部１０２に蓄積する（Ｓ１１）。上述のように、水廻りユニット１０は、ユーザが意識しなくても、ユーザが便器２０または洗面台３０を使用すると自動的に生体情報を計測する。制御部１０１は、このように計測された生体情報を記憶部１０２に蓄積する。
【００４６】
ユーザが水廻りユニット１０に侵入すると、人感センサ１１０はこれを検知する（Ｓ１２）。制御部１０１は、ユーザが検知されたことを示す検知結果を人感センサ１１０から取得すると、これをトリガとして、直近の生体情報の計測値を用いてユーザが健康であるか否かの判定を行う（Ｓ１３）。制御部１０１は、例えば、直近の生体情報の計測値と、過去の生体情報の計測値との比較を行う。過去の生体情報は、より具体的には、直近の所定期間（例えば、１週間）において計測された生体情報の平均値である。
【００４７】
制御部１０１は、直近の計測値と過去の平均値との差が所定値未満であり、ユーザが健康であると判定すると（Ｓ１３でＹｅｓ）、構造パネル８０の光源８１を電球色（第一態様の一例）で発光させる（Ｓ１４）。図７は、ユーザが健康であると判定された場合の構造パネル８０の発光態様を示す図である。制御部１０１は、具体的には、構造パネル８０の光源８１を電球色で発光させるための指令をパネル制御部８２に送信し、パネル制御部８２は、受信した指令にしたがって光源８１を発光させる。
【００４８】
一方、制御部１０１は、直近の計測値と過去の平均値との差が所定値以上であり、ユーザが健康でないかバイタル値が異常であると判定すると（Ｓ１３でＮｏ）、構造パネル８０の光源８１を電球色と異なる昼白色（第二態様の一例）で発光させる（Ｓ１５）。図８は、ユーザが健康でないと判定された場合の構造パネル８０の発光態様を示す図である。制御部１０１は、具体的には、構造パネル８０の光源８１を昼白色で発光させるための指令をパネル制御部８２に送信し、パネル制御部８２は、受信した指令にしたがって光源８１を発光させる。
【００４９】
以上説明したような構造パネル８０を用いた提示制御によれば、健康であると判定されるユーザが水廻りユニット１０に侵入すると、構造パネル８０は、電球色（第一態様）で発光開始する。健康でないと判定されるユーザが水廻りユニット１０に侵入すると、構造パネル８０は、昼白色（第二態様）で発光開始する。したがって、ユーザは、構造パネルの発光態様により体調の異常を把握することができる。
【００５０】
上述のように生体情報の計測はユーザから計測を意図した操作等を受け付けずに行われ、発光態様の変化もユーザから操作等を受け付けずに行われる。つまり、ユーザは、水廻りユニット１０が設けられた建物で普通に生活していれば、健康状態（体調）の悪化を示す提示を受けることができ、これにより体調の異常に気付くことができる。
【００５１】
なお、発光態様の変化は、発光色の変更、点滅（明滅）周期の変更、及び、明るさの変更などの少なくとも１つ以上を組み合わせて行われればよい。また、発光態様の変化は、文字情報、及び、画像情報などの詳細情報を含まないが、含んでもよい。例えば、構造パネル８０は、光源８１が有するＬＥＤチップを選択的に発光させることなどにより、ミラー装置４０の表示部４４よりも解像度の粗い画像（模様など）を表示することができ、発光態様の変化は、このような画像の変化により実現されてもよい。
【００５２】
また、ユーザが健康であるか否かの判定が過去の生体情報との比較によって行われることは必須ではない。例えば、直近の生体情報の計測値が万人に共通の所定範囲（例えば、健康診断などで用いられる一般に正常とされる血圧値の範囲など）内であるか否かに基づいて行われてもよい。生体情報のうち個人差が大きいものは、過去の生体情報が比較に用いられ、生体情報のうち個人差が小さいものは、万人に共通の所定範囲が比較に用いられればよい。つまり、制御部１０１は、生体情報の種類に応じて判定基準を変更してもよい。
【００５３】
また、センサ９０として、脈波センサ９１、体重センサ９２、及び、体脂肪センサ９３の３種類のセンサが設置されているため、互いに異なる複数種類の生体情報のそれぞれが日々記憶部１０２に蓄積される。このような場合、例えば、複数種類の生体情報の直近の計測値のうち少なくとも１つが異常であると判定された場合に発光態様が変更される。
【００５４】
以上、構造パネル８０を用いて発光態様に基づく提示を行う例について説明したが、このような提示は、構造パネル８０以外の他の発光装置によって行われてもよい。例えば、発光態様に基づく提示は、間接照明装置３１、上側間接照明装置４１、下側間接照明装置４２、照明装置６０、または、間接照明装置７３などの照明装置によって行われてもよい。
【００５５】
［ミラー装置を用いた提示制御］
次に、ミラー装置４０を用いた提示制御について説明する。図９は、ミラー装置４０を用いた提示制御のフローチャートである。
【００５６】
制御装置１００の制御部１０１は、センサ９０がユーザ生体情報を計測するごとに、計測された生体情報を取得して記憶部１０２に蓄積する（Ｓ２１）。上述のように、水廻りユニット１０は、ユーザが意識しなくても、ユーザが便器２０または洗面台３０を使用すると自動的に生体情報を計測する。制御部１０１は、このように計測された生体情報を記憶部１０２に蓄積する。
【００５７】
ミラー装置４０のタッチパネル４５がユーザの所定の操作（例えば、タップ操作）を受け付けると（Ｓ２２）、ミラー制御部４６は、制御装置１００の制御部１０１に所定の操作が行われたことを通知する。
【００５８】
制御部１０１は、ミラー制御部４６から通知を受けると、直近の生体情報の計測値を用いてユーザが健康であるか否かの判定を行う（Ｓ２３）。ここでの判定方法は、構造パネルを用いた提示制御と同様である。
【００５９】
制御部１０１は、ユーザが健康である（言い換えれば、ユーザの体調が正常である）と判定すると（Ｓ２３でＹｅｓ）、表示部４４に第一表示画面を表示させる（Ｓ２４）。制御部１０１は、具体的には、第一表示画面を表示させるための指令をミラー制御部４６に送信し、ミラー制御部４６は、受信した指令にしたがって表示部４４に第一表示画面を表示させる。図１０は、第一表示画面の一例を示す図である。
【００６０】
図１０に示されるように、第一表示画面には、例えば、直近の所定期間の生体情報を示す画像が表示される。図１０の例では、直近の一週間の血圧値が折れ線グラフで表示されている。また、ユーザが健康であると判定されたことを示す文字情報も表示されている。
【００６１】
一方、制御部１０１は、ユーザが健康でない（言い換えれば、ユーザの体調が異常である）と判定すると（Ｓ２３でＮｏ）、表示部４４に第二表示画面を表示させる（Ｓ２５）。制御部１０１は、具体的には、第二表示画面を表示させるための指令をミラー制御部４６に送信し、ミラー制御部４６は、受信した指令にしたがって表示部４４に第二の表示画面を表示させる。図１１は、第二表示画面の一例を示す図である。
【００６２】
図１１に示されるように、第二表示画面には、例えば、直近の所定期間の生体情報を示す画像が表示される。図１１の例では、直近の一週間の血圧値が折れ線グラフで表示されている。また、ユーザが健康でないと判定されたことを示す文字情報も表示されている。この文字情報は、医療機関の受診を勧める旨の情報を含む。つまり、図１１の第二表示画面は、ユーザへサービスの提供を受けることを提案するための画像である。
【００６３】
ここで、ユーザは、図１１の第二表示画面において、「近隣の医療機関を表示する」と記載された領域をタップ操作することにより、水廻りユニット１０が設置された建物の近辺の医療機関の一覧画面を表示することができる。図１２は、医療機関の一覧画面の一例を示す図である。
【００６４】
例えば、制御部１０１は、通信部１０３を用いて、記憶部１０２にあらかじめ記憶された水廻りユニット１０の設置位置情報（具体的には、水廻りユニット１０が設置された建物の緯度及び経度情報、住所情報など）を、ＷＥＢ検索サービスを提供するサーバ装置２００ａに送信する。これにより、制御部１０１は、水廻りユニット１０が設置された建物の近辺の医療機関の情報をサーバ装置２００ａから取得し、図１２のような一覧画面を表示部４４に表示することができる。
【００６５】
また、ユーザによって「地図を表示」の部分がタップ操作されれば、対象の医療機関の周辺地図が表示部４４に表示される。このような周辺地図の地図情報は、例えば、ＷＥＢ検索サービスを提供するサーバ装置２００ａから提供される。
【００６６】
また、図１２の一覧画面が表示されているときに、ユーザによって医療機関の選択操作及び予約操作が行われると、制御部１０１は、選択された医療機関が使用するサーバ装置２００ｂ（サーバ装置ではなく、パーソナルコンピュータなどの情報端末であってもよい）に、当該医療機関を予約するための予約要求情報と、記憶部１０２に蓄積されたユーザの生体情報とを送信する。
【００６７】
このようにユーザの生体情報が事前に提供されれば、ユーザがその後、選択した医療機関を受診する際に、当該医療機関に属する医師は、計測された生体情報を考慮して診断を行うことができる。つまり、水廻りユニット１０は、医師の診断を支援することができる。
【００６８】
なお、第二表示画面がユーザへサービスの提供を受けることを提案するための画像であることは必須ではない。第二表示画面は、ユーザへ商品の購入を提案するための画像であってもよい。図１３は、このような第二表示画面の別の一例を示す図である。
【００６９】
図１３の第二表示画面は、健康でないと判定される根拠となった生体情報の改善が見込める商品の購入を勧める文字情報を含む。この文字情報は、例えば、広告情報であり、広告を提供するサーバ装置２００ｃから提供される。サーバ装置２００ｃは、広告情報が表示された回数に応じて課金処理を行う。どのような生体情報が悪化したときにどのような広告情報が表示されるかは、例えば、所定のアルゴリズムに基づいてサーバ装置２００ｃが決定する。なお、ユーザによって「購入」の部分がタップ操作されれば、この商品を購入するためのＷｅｂサイトが表示部４４に表示される。
【００７０】
なお、広告情報は、商品を対象としたものに限定されず、サービスを対象としたものであってもよい。例えば、広告情報は、生体情報の改善のために運動施設（トレーニングジム）の利用を勧めるものであってもよい。
【００７１】
また、第二表示画面は、ユーザに生活習慣に関するアドバイスを行うための改善を促す画像であってもよい。図１４は、このような第二表示画面の別の一例を示す図である。
【００７２】
図１４の第二表示画面は、健康でないと判定される根拠となった生体情報の改善するための、生活習慣に関するアドバイス情報（文字情報）を含む。生活習慣に関するアドバイス情報は、具体的には、運動に関するアドバイス、または、食事に関するアドバイスなどである。どのような生体情報の数値が悪化したときにどのようなアドバイス情報が表示されるかは、例えば、所定のアルゴリズムに基づいて制御部１０１が決定する。表示の候補となるアドバイス情報は、例えば、記憶部１０２にあらかじめ記憶される。
【００７３】
以上のようなミラー装置４０を用いた提示制御によれば、水廻りユニット１０は、ユーザに生体情報の計測結果を提示することができる。また、水廻りユニット１０は、ユーザの健康状態が良くないと判定された場合には、医療機関の受診、商品の購入、サービスの提供を受けること、及び、生活習慣の是正を提案することができる。
【００７４】
また、センサ９０として、脈波センサ９１、体重センサ９２、及び、体脂肪センサ９３の３種類のセンサが設置されているため、互いに異なる複数種類の生体情報のそれぞれが日々記憶部１０２に蓄積される。このような場合、表示部４４の表示画面を画面遷移させることにより、複数種類の生体情報を個別に表示することが可能となる。
【００７５】
以上、ミラー装置４０を用いて画像の表示に基づく提示を行う例について説明したが、このような提示は、ミラー装置４０以外の他の表示装置によって行われてもよい。例えば、画像の表示に基づく提示は、シャワールーム７０またはメイン空間６１に表示装置が設置されるような場合、この表示装置を用いて行われてもよい。
【００７６】
［提示制御の連動］
なお、上記実施の形態１では、ミラー装置４０を用いた提示制御は、所定の操作に基づいて開始されたが、構造パネル８０を用いた提示制御と同様に、人感センサ１１０の検知結果に基づいて開始されてもよい。つまり、人感センサ１１０によって人が検知されると、ミラー装置４０を用いた提示制御、及び、構造パネル８０を用いた提示制御の両方が開始されてもよい。
【００７７】
また、構造パネル８０を用いた提示制御においてユーザが健康でないと判定され、構造パネル８０が第二発光態様で発光したときにのみ、ミラー装置４０を用いた提示制御が自動的に開始されてもよい。つまり、ミラー装置４０を用いた提示制御、及び、構造パネル８０を用いた提示制御が連動してもよい。
【００７８】
この場合、構造パネル８０を用いた提示制御においてユーザが健康であると判定され、構造パネル８０が第一発光態様で発光したときには、所定の操作が行われない限りミラー装置４０を用いた提示制御は開始されず、表示部４４はスリープ状態（透明）のままとなる。このように健康状態が悪化していると判定され、ユーザが詳細な情報を知りたいときにのみ選択的にミラー装置４０を用いた提示制御が開始されることで、ユーザへの効果的な情報提示が実現される。
【００７９】
［変形例］
上記実施の形態１において、第二表示画面は、商品の購入を提案するための画像、サービスの提供を受けることを提案するための画像、計測された生体情報を示す画像、及び、生活習慣に関するアドバイスを行うための画像のうち任意の２つ以上の画像を含んでもよい。また、上記実施の形態１では、第一表示画面には、商品の購入を提案するための画像、サービスの提供を受けることを提案するための画像、及び、生活習慣に関するアドバイスを行うための画像が含まれなかったが、第一表示画面は、これらの画像を１つまたは複数含んでもよい。
【００８０】
また、上記実施の形態１では、構造パネルの発光態様は、ユーザが健康であるか否かの判定に基づいて２段階で変化したが、発光態様の変化は、複数の閾値と計測された生体情報との比較により３段階以上に細かく行われてもよい。例えば、構造パネルの発光態様は、生体情報が健康と考えられる数値から離れるほど構造パネルが発する光の色温度が高くなる（あるいは低くなる）ように連続的に変化してもよい。
【００８１】
また、上記実施の形態１では、ミラー装置は、ユーザが健康でないと判定されたときに各種画像を表示したが、ユーザが健康であると判定されたときに各種画像を表示してもよい。各種画像とは、商品の購入を提案するための画像、サービスの提供を受けることを提案するための画像、及び、生活習慣に関するアドバイスを行うための画像などである。
【００８２】
また、上記実施の形態１の水廻りユニットは、さらに、水廻りユニットの外部に設けられたセンサから当該センサによって計測されたユーザの生体情報を取得し、取得した生体情報に基づく提示を行ってもよい。例えば、水廻りユニットは、水廻りユニットが設けられる建物の他の部屋（寝室など）に設けられたセンサから当該センサによって計測されたユーザの生体情報を取得し、取得した生体情報に基づく提示を行ってもよい。
【００８３】
（実施の形態２）
［構成］
実施の形態２では、複数の水廻りユニット１０のそれぞれにおいて計測された生体情報が集約される第１サーバ装置と、第１サーバ装置から生体情報の提供を受ける第２サーバ装置とを含む情報処理システムについて説明する。図１５は、実施の形態２に係る情報処理システムの機能構成を示すブロック図である。
【００８４】
情報処理システム２５０は、複数の水廻りユニット１０と、第１サーバ装置３００と、複数の第２サーバ装置４００と、複数の環境センサ５００と、携帯端末６００とを備える。
【００８５】
第１サーバ装置３００は、複数の水廻りユニット１０のそれぞれから当該水廻りユニット１０に設けられたセンサ９０によって計測された生体情報を取得し管理する。第１サーバ装置３００は、例えば、水廻りユニット１０の製造事業者によって使用されるサーバ装置であり、水廻りユニット１０と連携して様々なサービスを実現する。第１サーバ装置３００は、通信部３０１と、情報処理部３０２と、記憶部３０３とを備える。
【００８６】
通信部３０１は、第１サーバ装置３００が、インターネットなどの広域通信ネットワーク１２０を介して、複数の水廻りユニット１０、複数の第２サーバ装置４００、及び、複数の環境センサ５００のそれぞれと通信するための通信回路である。通信部３０１が行う通信は、有線通信であってもよいし無線通信であってもよい。通信部３０１が行う通信の通信規格についても特に限定されない。
【００８７】
情報処理部３０２は、通信部３０１を介して取得された生体情報の記憶部３０３への記憶などの情報処理を行う。情報処理部３０２は、例えば、マイクロコンピュータによって実現されるが、プロセッサまたは専用回路によって実現されてもよい。
【００８８】
記憶部３０３は、通信部３０１によって取得された生体情報がビッグデータとして記憶される記憶装置である。記憶部３０３は、例えば、ＨＤＤ（Ｈａｒｄ  Ｄｉｓｃ  Ｄｒｉｖｅ）などによって実現される。
【００８９】
第２サーバ装置４００は、サービス事業者が第１サーバ装置３００から生体情報の提供を受けるために使用するサーバ装置である。サービス事業者は、具体的には、水廻りユニット１０の設置位置を含む地域でサービス事業を行っている者、または、当該地域でサービス事業の開始を検討している者である。サービス事業者は、さらに具体的には、介護施設の運営事業者、健康施設の運営事業者、保険会社、食品会社、旅行会社、宿泊施設の運営事業者、自治体、機器メーカ、または、医療機関などである。なお、この場合の地域は、集合住宅、病院、または、介護施設のように小規模な単位の地域であってもよいし、行政区域（つまり、市町村、都道府県など）のように大規模な単位の地域であってもよい。
【００９０】
環境センサ５００は、温度、湿度、紫外線量、及び、ＰＭ２．５濃度の少なくとも１つを示す環境情報を計測するセンサである。環境センサ５００は、具体的には、温度センサ、湿度センサ、紫外線センサ、または、ＰＭ２．５センサなどである。環境センサ５００によって計測された環境情報は、環境センサ５００に接続された通信回路によって第１サーバ装置３００に送信される。なお、環境センサ５００は、水廻りユニット１０に備えられてもよい。
【００９１】
携帯端末６００は、水廻りユニット１０のユーザが第１サーバ装置３００から送信されるサービス情報を受診するための情報端末である。ユーザは、言い換えれば、センサ９０の計測対象者である。携帯端末６００は、具体的には、スマートフォンまたはタブレット端末などである。
【００９２】
［動作例１］
次に、情報処理システム２５０の動作例１について説明する。図１６は、情報処理システム２５０の動作例１のフローチャートである。
【００９３】
まず、第１サーバ装置３００の通信部３０１は、複数の水廻りユニット１０から当該水廻りユニット１０が備えるセンサ９０によって計測された生体情報を取得する（Ｓ１０１）。図１７は、通信部３０１によって取得される生体情報の一例を示す図である。図１７に示されるように、通信部３０１によって取得される生体情報は、例えば、水廻りユニット１０のＩＤ、生体情報の種別、生体情報の計測値、計測時刻などを含む情報である。
【００９４】
一方、記憶部３０３には、あらかじめ水廻りユニット１０のユーザ情報が記憶されている。図１８は、ユーザ情報の一例を示す図である。図１８に示されるユーザ情報は、水廻りユニット１０のＩＤ、ユーザＩＤ、ユーザの性別、ユーザの年齢、ユーザの身長、水廻りユニット１０の設置位置（例えば、緯度及び経度であるが、住所であってもよい）などを含む。ユーザ情報は、あらかじめユーザ登録などによって記憶部３０３に記憶される。
【００９５】
そこで、情報処理部３０２は、水廻りユニット１０のＩＤをキーとして、ステップＳ１０１において取得された生体情報（図１７）を、ユーザ情報（図１８）と紐づけて記憶部３０３に記憶する（Ｓ１０２）。なお、ユーザ情報は、あらかじめ記憶されるのではなく、ステップＳ１０１において通信部３０１によって取得される生体情報に含まれてもよい。この結果、記憶部３０３に記憶される、サービス事業者への提供の対象となる生体情報は、生体情報の種別、生体情報の計測値、計測時刻、ユーザの性別、ユーザの年齢、ユーザの身長、水廻りユニット１０の設置位置などを含む。
【００９６】
情報処理部３０２は、複数のサービス事業者のうちの１つのサービス事業者に提供する１以上の生体情報を、記憶部３０３に記憶された複数の生体情報の中から規則に基づいて選択する（Ｓ１０３）。図１９は、生体情報を提供する際の規則を示す情報（以下、規則情報とも記載される）の一例を示す図である。
【００９７】
第１サーバ装置３００がサービス事業者（第２サーバ装置４００）に生体情報を提供する場合、全ての生体情報を提供する必要がない場合がある。例えば、サービス事業者が高齢者向け介護施設を運営している事業者である場合、このような事業者が高齢者の生体情報のみを必要として、若年層の生体情報は必要としないことがある。このような生体情報の提供先の事業者の要求に個別に対応するために、図１９に示されるような規則情報が用いられる。規則情報は、生体情報の提供先のサービス事業者（より詳細には、サービス事業者のＩＤ）と、サービス事業者の業種を示す情報と、生体情報の具体的な提供方法とを含む。
【００９８】
規則情報は、生体情報のフィルタ方法を含んでいる。生体情報のフィルタ方法とは、記憶部３０３に記憶された複数の生体情報のうちどの生体情報を提供するかの選択方法（選択基準）である。６０歳以上のユーザの生体情報のみを選択する、あるいは、生体情報の種別（血圧値、心拍数、体重、体脂肪率）のうち一部を選択するなどの生体情報の選択方法を意味する。
【００９９】
また、規則情報は、生体情報の加工方法を含んでいる。生体情報の加工方法とは、生体情報をどのような形式で提供するかの加工方法（加工基準）である。図１９の例では、事業者Ｃに対する加工方法として、１週間分の血圧値を平均化して提供することが定められている。つまり、生体情報の加工方法として統計処理を行うことが定められている。なお、統計処理には、平均化処理の他に、標準偏差を算出する処理、及び、度数分布を算出する処理などが含まれる。また、生体情報の加工方法には、生体情報の計測結果のマップ化する方法が含まれてもよい。マップ化された生体情報は、この地域には高血圧の人が多いなどの生体情報の地域性を示す。
【０１００】
また、図１９の例では、事業者Ｄに対する加工方法として、個人情報（ユーザ情報のうち住所、氏名などの個人を特定できる情報）を削除して提供することが定められている。つまり、事業者Ｄに対する加工方法は、プライバシー保護の観点に基づいた方法である。
【０１０１】
このように、第１サーバ装置３００は、規則情報に基づいてサービス事業者ごとに異なる態様で生体情報を提供することができる。
【０１０２】
ステップＳ１０３の後、情報処理部３０２は、通信部３０１を用いて、選択した１つ以上の生体情報を、サービス事業者（言い換えれば、第２サーバ装置４００）に提供する（Ｓ１０４）。なお、ステップＳ１０２〜ステップＳ１０４の処理は、生体情報の提供を受けることを希望するサービス事業者からの求め（つまり、第２サーバ装置４００から送信される生体情報の提供要求）に応じて行われてもよいし、定期的に行われてもよい。
【０１０３】
ステップＳ１０４の後、第１サーバ装置３００は、ステップＳ１０４において生体情報を提供したサービス事業者から、提供されることを望む生体情報に関する要求を取得する（Ｓ１０５）。この要求は、言い換えれば、サービス事業者が今後提供を希望する生体情報のフィルタ方法、及び、加工方法を示すフィードバック情報である。この要求は、例えば、電子データとして、サービス事業者が使用する第２サーバ装置４００から送信され、第１サーバ装置３００の通信部３０１によって取得される。しかしながら、この要求は、第１サーバ装置３００の管理者が、第１サーバ装置３００が備えるユーザインターフェース装置（図示せず）を操作すること（つまり、手動入力）により第１サーバ装置３００によって取得されてもよい。
【０１０４】
ステップＳ１０５の後、情報処理部３０２は、取得した要求に基づいて規則（規則情報）を変更する（Ｓ１０６）。例えば、ステップＳ１０５で取得された要求が事業者Ａからの要求であって生体情報のフィルタ方法（例えば、対象年齢）の変更を指示するものである場合、図２０に示されるように、生体情報の対象年齢が指定された年齢（例えば、５５歳以上）に変更される。図２０は、変更後の規則情報の一例を示す図である。なお、ステップＳ１０５で取得された要求は、対象年齢のように計測対象者を変更する指示に限定されない。要求は、生体情報のフィルタ方法の変更を指示するものであってもよいし、生体情報の加工方法の変更を指示するものであってもよい。また、要求は、フィルタ方法及び加工方法を変更しない（現状を維持する）ことを示すものであってもよい。
【０１０５】
このように、第１サーバ装置３００は、規則を更新することにより、サービス事業者への生体情報の提供方法を動的に（言い換えれば、適応的に）変更することができる。
【０１０６】
ステップＳ１０６の後、情報処理部３０２は、生体情報の提供に対する対価を、生体情報の提供を受けたサービス事業者に求めるための課金処理を行う（Ｓ１０７）。課金処理は、例えば、生体情報の提供を受けたサービス事業者のＩＤと、当該サービス事業者への請求金額とを紐づけて記憶部３０３に記憶する処理である。
【０１０７】
なお、生体情報を提供するための規則（規則情報）は、機械学習によって変更されてもよい。例えば、規則は機械学習モデルによって実現されてもよい。生体情報を提供するための機械学習モデルは、生体情報の提供を受けるサービス事業者に関する情報を入力とし、価値関数に基づいて、当該サービス事業者へ提供する生体情報を出力する。サービス事業者に関する情報には、例えば、業種を示す情報、従業員数を示す情報、資本金を示す情報、及び、主たる事業所の所在地を示す情報などが含まれる。
【０１０８】
また、この学習モデルは、当該サービス事業者からの要求（当該サービス事業者が今後提供を希望する生体情報）を報酬として用いる機械学習（例えば、強化学習）によって価値関数を更新する。つまり、サービス事業者の要望に応じて規則が変更される。
【０１０９】
このように、生体情報を提供するための規則が機械学習モデルによって実現されれば、第１サーバ装置３００は、新たに生体情報の提供を開始する未知のサービス事業者に関する情報が第１サーバ装置３００に入力されることで、当該未知のサービス事業者が希望すると考えられる生体情報を提供することができる。
【０１１０】
［動作例２］
また、第１サーバ装置３００は、生体情報に加えて、または、生体情報に代えて、環境センサ５００によって計測された環境情報をサービス事業者に提供してもよい。図２１は、このような情報処理システム２５０の動作例２のフローチャートである。
【０１１１】
まず、第１サーバ装置３００の通信部３０１は、複数の環境センサ５００から当該環境センサ５００によって計測された環境情報を取得する（Ｓ１１１）。通信部３０１によって取得される環境情報は、例えば、環境センサ５００のＩＤ、環境情報の種別（温度、湿度、紫外線量、及び、ＰＭ２．５濃度など）、環境情報の計測値）、計測時刻などを含む情報である。情報処理部３０２は、ステップＳ１１１において取得された環境情報を、記憶部３０３に記憶する（Ｓ１１２）。
【０１１２】
ステップＳ１１２の後、情報処理部３０２は、複数のサービス事業者のうちの１つのサービス事業者に提供する１以上の環境情報を、記憶部３０３に記憶された複数の環境情報の中から規則に基づいて選択する（Ｓ１１３）。環境情報を提供する際の規則（規則情報）については、生体情報を提供する際の規則と同様である。
【０１１３】
ステップＳ１１３の後、情報処理部３０２は、通信部３０１を用いて、選択した１つ以上の環境情報を、サービス事業者（言い換えれば、第２サーバ装置４００）に提供する（Ｓ１１４）。なお、ステップＳ１１２〜ステップＳ１１４の処理は、環境情報の提供を受けることを希望するサービス事業者からの求め（つまり、第２サーバ装置４００から送信される環境情報の提供要求）に応じて行われてもよいし、定期的に行われてもよい。
【０１１４】
ステップＳ１１４の後、第１サーバ装置３００は、ステップＳ１１４において環境情報を提供したサービス事業者から、提供されることを望む環境情報に関する要求を取得する（Ｓ１１５）。この要求は、言い換えれば、サービス事業者が今後提供を受けることを希望する環境情報のフィルタ方法、及び、加工方法を示すフィードバック情報である。この要求は、例えば、電子データとして、サービス事業者が使用する第２サーバ装置４００から送信され、第１サーバ装置３００の通信部３０１によって取得される。しかしながら、この要求は、第１サーバ装置３００の管理者が、第１サーバ装置３００が備えるユーザインターフェース装置（図示せず）を操作すること（つまり、手動入力）により第１サーバ装置３００によって取得されてもよい。
【０１１５】
ステップＳ１１５の後、情報処理部３０２は、取得した要求に基づいて規則（規則情報）を変更する（Ｓ１１６）。
【０１１６】
このように、第１サーバ装置３００は、規則を更新することにより、サービス事業者への環境情報の提供方法を動的に（言い換えれば、適応的に）変更することができる。
【０１１７】
ステップＳ１１６の後、情報処理部３０２は、環境情報の提供に対する対価を、環境情報の提供を受けたサービス事業者に求めるための課金処理を行う（Ｓ１１７）。課金処理は、例えば、環境情報の提供を受けたサービス事業者のＩＤと、当該サービス事業者への請求金額とを紐づけて記憶部３０３に記憶する処理である。
【０１１８】
なお、生体情報を提供するための規則（規則情報）と同様に、環境情報を提供するための規則（規則情報）は、機械学習によって変更されてもよい。例えば、規則は機械学習モデルによって実現されてもよい。環境情報を提供するための機械学習モデルは、環境情報の提供を受けるサービス事業者に関する情報を入力とし、価値関数に基づいて、当該サービス事業者へ提供する環境情報を出力する。また、この学習モデルは、当該サービス事業者からの要求（当該サービス事業者が今後提供を希望する環境情報）を報酬として用いる機械学習（例えば、強化学習）によって価値関数を更新する。つまり、サービス事業者の要望に応じて規則が変更される。
【０１１９】
このように、環境情報を提供するための規則が機械学習モデルによって実現されれば、第１サーバ装置３００は、新たに環境情報の提供を開始する未知のサービス事業者に関する情報が第１サーバ装置３００に入力されることで、当該未知のサービス事業者が希望すると考えられる環境情報を提供することができる。
【０１２０】
［動作例３］
動作例１及び動作例２では、生体情報または環境情報の提供方法を規則にしたがって選択したが、第１サーバ装置３００は、生体情報または環境情報の提供先を規則にしたがって選択してもよい。図２２は、このような情報処理システム２５０の動作例３のフローチャートである。
【０１２１】
まず、第１サーバ装置３００の通信部３０１は、複数の水廻りユニット１０から当該水廻りユニット１０が備えるセンサ９０によって計測された生体情報を取得する（Ｓ１０１）。情報処理部３０２は、水廻りユニット１０のＩＤをキーとして、ステップＳ１０１において取得された生体情報（図１７）を、ユーザ情報（図１８）と紐づけて記憶部３０３に記憶する（Ｓ１０２）。
【０１２２】
ステップＳ１０２の後、情報処理部３０２は、記憶部３０３に記憶された生体情報の提供先のサービス事業者を複数のサービス事業者の中から規則（図１９に示される規則情報）に基づいて選択する（Ｓ１２１）。
【０１２３】
例えば、生体情報が７０歳の男性の血圧値である場合、図１９の規則情報に基づき、提供先のサービス事業者としては、事業者Ａ、事業者Ｃ、事業者Ｄ、及び、事業者Ｅが選択される。生体情報の加工については、例えば、事業者の選択後に別途行われる。
【０１２４】
ステップＳ１２１の後、情報処理部３０２は、通信部３０１を用いて、生体情報を、ステップＳ１２１で選択した１以上のサービス事業者（言い換えれば、選択した１以上の第２サーバ装置４００）に提供する（Ｓ１２２）。
【０１２５】
ステップＳ１２２の後、第１サーバ装置３００は、ステップＳ１２２において生体情報を提供した１以上のサービス事業者の少なくとも１つから、提供されることを望む生体情報に関する要求を取得する（Ｓ１０５）。ステップＳ１０５の後、情報処理部３０２は、取得した要求に基づいて規則（規則情報）を変更する（Ｓ１０６）。例えば、図１９に示される規則情報が、図２０のように変更される。ステップＳ１０６の後、情報処理部３０２は、生体情報の提供に対する対価を、生体情報の提供を受けたサービス事業者に求めるための課金処理を行う（Ｓ１０７）。
【０１２６】
このように、第１サーバ装置３００は、規則情報に基づいて生体情報の提供先のサービス事業者を決定することができる。また、第１サーバ装置３００は、規則が変更されることで生体情報の提供先のサービス事業者を適応的に変更することができる。
【０１２７】
なお、動作例３においても、生体情報の提供先を選択するための規則（規則情報）は、機械学習によって変更されてもよい。例えば、規則は機械学習モデルによって実現されてもよい。生体情報の提供先を選択するための機械学習モデルは、生体情報を入力とし、価値関数に基づいて、当該生体情報を提供すべきサービス事業者に関する情報（例えば、サービス事業者の業種を示す情報）を出力する。また、この学習モデルは、当該サービス事業者からの要求（当該サービス事業者が今後も同じ生体情報の提供を希望するか否かを示す情報）を報酬として用いる機械学習（例えば、強化学習）によって価値関数を更新する。つまり、サービス事業者の要望に応じて規則が変更される。
【０１２８】
このように、生体情報の提供先を選択するための規則が機械学習モデルによって実現されれば、第１サーバ装置３００は、新たに生体情報の提供を開始する未知のサービス事業者に関する情報が第１サーバ装置３００に入力されることで、当該未知のサービス事業者が希望すると考えられる生体情報を提供することができる。
【０１２９】
なお、動作例３は、環境センサによって計測された環境情報の提供においても適用できる。つまり、動作例３において、生体情報は、環境情報に読み代えられてよい。
【０１３０】
［動作例４］
実施の形態１において、水廻りユニット１０のミラー装置４０には、医療機関の受診を勧める情報（図１１及び図１２の画像）、食品提供者による摂取すべき食品を示す情報（図１３の画像）、及び、運動施設の利用を勧める情報（図示せず）などが表示された。このような情報の表示は、第１サーバ装置３００から提供される情報に基づいて行われてもよい。第１サーバ装置３００は、具体的には、サービス事業者との契約に基づいて、サービス事業者が使用する第２サーバ装置４００から取得したサービス情報を水廻りユニット１０に提供してもよい。図２３は、このような情報処理システム２５０の動作例４のフローチャートである。
【０１３１】
まず、第１サーバ装置３００の通信部３０１は、広域通信ネットワーク１２０を通じて、サービス事業者（第２サーバ装置４００）から送信されたサービス情報を取得する（Ｓ１３１）。サービス情報は、例えば、当該サービス事業者が提供するサービスに関する表示を行うための情報であり、取得されたサービス情報は、記憶部３０３に記憶される。
【０１３２】
次に、通信部３０１は、水廻りユニット１０からサービス情報の要求を取得する（Ｓ１３２）。通信部３０１は、広域通信ネットワーク１２０を通じて、水廻りユニット１０の通信部１０３からサービス情報の要求を取得する。サービス情報の要求は、例えば、ユーザが健康でないと判定されたときに水廻りユニット１０から送信される。
【０１３３】
次に、情報処理部３０２は、取得されたサービス情報の要求に応じて記憶部３０３からサービス情報を読み出し、読み出したサービス情報を、サービス情報の送信元の水廻りユニット１０に送信する（Ｓ１３３）。この結果、水廻りユニット１０のミラー装置４０は、サービス情報を取得し、サービス事業者が提供するサービスに関する表示を行うことができる。つまり、サービス情報が水廻りユニット１０のユーザ（センサ９０の計測対象者）に提供される。
【０１３４】
水廻りユニット１０にサービス情報が提供された後、情報処理部３０２は、サービス情報の水廻りユニット１０のユーザへの提供に対する対価を、サービス事業者に求めるための課金処理を行う課金処理を行う（Ｓ１３４）。課金処理は、例えば、サービス事業者のＩＤと、当該サービス事業者への請求金額とを紐づけて記憶部３０３に記憶する処理である。
【０１３５】
以上のように、第１サーバ装置３００は、サービス事業者のサービス情報を水廻りユニット１０のユーザに提供することができる。
【０１３６】
なお、水廻りユニット１０のミラー装置４０を介してサービス情報がユーザに提供されることは必須ではなく、サービス情報は、ユーザの携帯端末６００を介してユーザに提供されてもよい。例えば、図１８のユーザ情報にユーザの携帯端末へのサービス情報を送信するための情報（電子メールアドレス、ＳＮＳアカウントなど）が含まれれば、第１サーバ装置３００は、ユーザの携帯端末６００へサービス情報を送信し、携帯端末６００は、これを取得してサービス事業者が提供するサービスに関する表示を行うことができる。つまり、サービス情報が水廻りユニット１０のユーザ（センサ９０の計測対象者）に提供される。
【０１３７】
また、動作例４では、実施の形態１で説明されたミラー装置４０の制御が第１サーバ装置３００の情報処理部３０２によって行われる例について説明されたが、同様に、実施の形態１で説明された構造パネル８０の制御が情報処理部３０２によって行われてもよい。構造パネル８０に代えて間接照明装置３１、上側間接照明装置４１、下側間接照明装置４２、照明装置６０、または、間接照明装置７３などの照明装置が制御される場合も同様である。
【０１３８】
［効果等］
以上説明したように、情報処理システム２５０は、生体情報を計測する複数のセンサ９０と、情報処理部３０２とを備える。情報処理部３０２は、複数のセンサ９０によって計測された複数の生体情報を記憶部３０３に記憶し、サービス事業者に提供する１つ以上の生体情報を記憶部３０３に記憶された複数の生体情報の中から規則に基づいて選択し、選択した１つ以上の生体情報をサービス事業者に提供し、上記規則を変更する。なお、実施の形態２では、センサ９０は、水廻りユニット１０の外部に配置されたセンサであってもよい。
【０１３９】
このような情報処理システム２５０は、上記規則がサービス事業者の要望に基づいて定められることで、サービス事業者が希望する生体情報だけを選択的に提供することができる。また、情報処理システム２５０は、不必要な生体情報がサービス事業者の第２サーバ装置４００に送信されなくなるため、通信量を低減することができる。また、情報処理システム２５０は、規則を変更することで、適応的に生体情報を提供することができる。
【０１４０】
また、例えば、情報処理部３０２は、機械学習により上記規則を変更する。
【０１４１】
このような情報処理システム２５０は、新たに生体情報の提供を開始する未知のサービス事業者に、当該未知のサービス事業者が希望すると考えられる生体情報を提供することができる。
【０１４２】
また、例えば、上記規則は、選択した１つ以上の生体情報の加工方法を含んでいる。
【０１４３】
このような情報処理システム２５０は、生体情報を加工してサービス事業者に提供することができる。
【０１４４】
また、例えば、加工方法は、プライバシー保護の観点に基づいた方法である。
【０１４５】
このような情報処理システム２５０は、生体情報をプライバシー保護の観点に基づいて加工してサービス事業者に提供することができる。
【０１４６】
また、例えば、情報処理部３０２は、サービス事業者からの、提供されることを望む生体情報に関する要求を取得し、取得した要求に基づいて上記規則を変更する。
【０１４７】
このような情報処理システム２５０は、上記規則をサービス事業者からの要求に応じて変更することができる。
【０１４８】
また、例えば、情報処理システム２５０は、さらに、サービス事業者から送信されたサービス情報を取得し、取得したサービス情報をセンサ９０の計測対象者に提供する情報提供装置を備える。
【０１４９】
このような情報処理システム２５０は、サービス事業者のサービス情報をセンサ９０の計測対象者に提供することができる。
【０１５０】
また、例えば、サービス情報は、医療機関の受診を勧める情報と、運動施設の利用を勧める情報と、食品提供者による摂取すべき食品を示す情報と、の少なくとも１つを含む。
【０１５１】
このような情報処理システム２５０は、医療機関の受診を勧める情報、運動施設の利用を勧める情報、及び、食品提供者による摂取すべき食品を示す情報の少なくとも１つをセンサ９０の計測対象者に提供することができる。
【０１５２】
また、例えば、上記情報提供装置は、便器、洗面台、並びに、シャワー及び浴槽の少なくとも一方を内部に有する水廻りユニットの内部に設けられた第１表示装置である。第１表示装置は、例えば、ミラー装置４０であるが、その他の表示装置であってもよい。水廻りユニット１０には、計測対象者の生体情報を計測したセンサ９０が取り付けられている。
【０１５３】
また、例えば、水廻りユニット１０は、さらに、機器を有し、情報処理部３０２は、さらに、水廻りユニット１０に取り付けられたセンサ９０が計測した生体情報に基づいて機器を制御する。
【０１５４】
このような情報処理システム２５０は、生体情報に基づいて、水廻りユニット１０が有する機器を制御することができる。
【０１５５】
また、例えば、上記機器は、照明装置６０、または、第１表示装置よりも解像度が粗い第２表示装置である。第２表示装置は、例えば、構造パネル８０であるが、その他の表示装置であってもよい。
【０１５６】
このような情報処理システム２５０は、生体情報に基づいて、照明装置６０または第２表示装置を制御することができる。
【０１５７】
また、例えば、上記情報提供装置は、計測対象者の携帯端末６００である。
【０１５８】
このような情報処理システム２５０は、携帯端末６００を介して計測対象者にサービス情報を提供することができる。
【０１５９】
また、例えば、生体情報は、体重、体脂肪、血圧、血糖値、トイレの使用回数、および、身体能力の少なくとも１つである。
【０１６０】
このような情報処理システム２５０は、体重、体脂肪、血圧、血糖値、トイレの使用回数、および、身体能力などの生体情報をサービス事業者に提供することができる。
【０１６１】
また、例えば、サービス事業者は、複数のセンサ９０の設置位置を含む地域でサービス事業を行っている者、または、当該地域でサービス事業の開始を検討している者である。
【０１６２】
このような情報処理システム２５０は、複数のセンサ９０の設置位置を含む地域でサービス事業を行っている者、または、当該地域でサービス事業の開始を検討している者にセンサ９０で計測した生体情報を提供することができる。
【０１６３】
また、例えば、上記地域は、集合住宅、病院、介護施設または行政区域である。
【０１６４】
このような情報処理システム２５０は、集合住宅、病院、介護施設または行政区域などでサービス事業を行っている者、または、当該集合住宅、病院、介護施設または行政区域などでサービス事業の開始を検討している者に生体情報を提供することができる。
【０１６５】
また、例えば、情報処理システム２５０は、さらに、温度、湿度、紫外線量及びＰＭ２．５濃度の少なくとも１つを示す環境情報を計測する複数の環境センサ５００を備える。情報処理部３０２は、さらに、複数の環境センサ５００によって計測された複数の環境情報を記憶部３０３に記憶し、記憶部３０３に記憶された複数の環境情報から１つ以上の環境情報を、規則に基づいて選択し、選択した１つ以上の環境情報を、サービス事業者に提供する。
【０１６６】
このような情報処理システム２５０は、上記規則がサービス事業者の要望に基づいて定められることで、サービス事業者が希望する環境情報だけを選択的に提供することができる。また、不必要な環境情報がサービス事業者の第２サーバ装置４００に送信されなくなるため、通信量を低減することができる。
【０１６７】
また、例えば、情報処理部３０２は、さらに、センサ９０によって計測された生体情報の提供先となる１以上のサービス事業者を複数のサービス事業者の中から規則に基づいて選択し、生体情報を選択したサービス事業者に提供し、上記規則を変更する。
【０１６８】
このような情報処理システム２５０は、上記規則がサービス事業者の要望に基づいて定められることで、生体情報を希望するサービス事業者に選択的に当該生体情報を提供することができる。また、情報処理システム２５０によれば、生体情報が当該生体情報を必要としていないサービス事業者の第２サーバ装置４００に送信されなくなるため、通信量を低減することができる。また、情報処理システム２５０は、規則を変更することで、適応的に生体情報を提供することができる。
【０１６９】
また、情報処理システム２５０などのコンピュータによって実行される情報処理方法は、複数の生体情報を計測し、複数の生体情報を記憶部３０３に記憶し、サービス事業者に提供する１つ以上の生体情報を記憶部３０３に記憶された複数の生体情報の中から規則に基づいて選択し、選択した１つ以上の生体情報を、サービス事業者に提供し、上記規則を変更する。
【０１７０】
このような情報処理方法は、上記規則がサービス事業者の要望に基づいて定められることで、サービス事業者が希望する生体情報だけを選択的に提供することができる。また、情報処理方法は、不必要な生体情報がサービス事業者の第２サーバ装置４００に送信されなくなるため、通信量を低減することができる。また、情報処理方法は、規則を変更することで、適応的に生体情報を提供することができる。
【０１７１】
（その他の実施の形態）
以上、実施の形態について説明したが、本発明は、上記実施の形態に限定されるものではない。
【０１７２】
例えば、情報処理システムは、単一の装置として実現されてもよいし、複数の装置によって実現されてもよい。情報処理システムが複数の装置によって実現される場合、情報処理システムが備える構成要素は、複数の装置にどのように振り分けられてもよい。
【０１７３】
また、上記実施の形態における装置間の通信方法については特に限定されるものではない。また、装置間の通信においては、図示されない中継装置が介在してもよい。
【０１７４】
また、上記実施の形態において、特定の処理部が実行する処理を別の処理部が実行してもよい。また、複数の処理の順序が変更されてもよいし、複数の処理が並行して実行されてもよい。
【０１７５】
また、上記実施の形態において、制御部などの各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７６】
また、制御部などの各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１７７】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１７８】
例えば、本発明は、上記実施の形態の情報処理方法をコンピュータに実行させるためのプログラムとして実現されてもよいし、このようなプログラムが記録されたコンピュータ読み取り可能な非一時的な記録媒体として実現されてもよい。
【０１７９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１８０】
１０  水廻りユニット
２０  便器
３０  洗面台
４０  ミラー装置（情報提供装置、第１表示装置）
６０  照明装置（機器）
７１  シャワー
８０  構造パネル（機器、第２表示装置）
９０  センサ
９１  脈波センサ
９２  体重センサ
９３  体脂肪センサ
２５０  情報処理システム
３０１  通信部
３０２  情報処理部
３０３  記憶部（記憶装置）
５００  環境センサ
６００  携帯端末（情報提供装置）
【図１】
2020189019.tif 000003
【図２】
2020189019.tif 000004
【図３】
2020189019.tif 000005
【図４】
2020189019.tif 000006
【図５】
2020189019.tif 000007
【図６】
2020189019.tif 000008
【図７】
2020189019.tif 000009
【図８】
2020189019.tif 000010
【図９】
2020189019.tif 000011
【図１０】
2020189019.tif 000012
【図１１】
2020189019.tif 000013
【図１２】
2020189019.tif 000014
【図１３】
2020189019.tif 000015
【図１４】
2020189019.tif 000016
【図１５】
2020189019.tif 000017
【図１６】
2020189019.tif 000018
【図１７】
2020189019.tif 000019
【図１８】
2020189019.tif 000020
【図１９】
2020189019.tif 000021
【図２０】
2020189019.tif 000022
【図２１】
2020189019.tif 000023
【図２２】
2020189019.tif 000024
【図２３】
2020189019.tif 000025
【国際調査報告】
2020189019.tif 000026
2020189019.tif 000027
2020189019.tif 000028
2020189019.tif 000029